(57)【特許請求の範囲】
【請求項１】
前面に光源が配置されて施工面に取り付けられる底壁を有し、前記底壁の周縁から前記施工面と反対側に周側壁が立設された器具本体と、
前記器具本体の前面を覆うように前記器具本体に取り付けられるカバーとを備え、
前記カバーは、前記器具本体に取り付けられた状態において、前記周側壁よりも内側に位置する内壁部と、前記周側壁よりも外側に位置する外壁部とを有し、
前記器具本体は、前記内壁部と前記外壁部との間の溝部に前記周側壁が挿入された状態において、前記外壁部に設けられた挿通孔に通されたねじがねじ込まれる取付部を前記周側壁に有し、
前記内壁部は、前記溝部の底部に対して前記外壁部よりも高く形成されていることを特徴とする照明器具。
【請求項２】
前記溝部に溜まった水を前記カバーの外側に抜くための水抜孔が設けられていることを特徴とする請求項１記載の照明器具。
【請求項３】
前記水抜孔を着脱自在に閉塞するキャップを備えていることを特徴とする請求項２記載の照明器具。
【発明の詳細な説明】
【技術分野】
【０００１】
本発明は、照明器具に関するものである。
【背景技術】
【０００２】
従来より、玄関先の天井面などに取り付けられる防雨型の照明器具が提供されている（例えば特許文献１参照）。この照明器具は、周側壁を有して前面開口を形成した器具本体と、器具本体の周側壁に外嵌する筒状部を有し周側壁の前方に位置する受け段を筒状部の内周に有して器具本体に取り付けられる枠と、器具本体の前面開口を被覆するものであって枠の受け段に係止するつば部を周縁部に有するグローブとを備える。グローブは、つば部に立設されて器具本体の周側壁の下端部に対面する第１の立ち上がり部と、第１の立ち上がり部よりも内側に第１の立ち上がり部よりも高く立設されて先端が器具本体の周側壁の内側に進入する第２の立ち上がり部とを有している。
【０００３】
この照明器具は、枠の受け段にグローブのつば部を係止させることでグローブが枠に取り付けられ、さらに天井面に取り付けられた器具本体に対して枠をねじ固定することで器具本体、枠及びグローブが組み付けられ、施工が完了する。またこの照明器具では、第１の立ち上がり部の内側に立設された第２の立ち上がり部が第１の立ち上がり部よりも高く形成されているため、第１の立ち上がり部と第２の立ち上がり部の間に雨水が浸入した場合でも、高低差により第１の立ち上がり部を越えて外側に流れ出ることになり、グローブ内に雨水が浸入しにくくなっている。
【先行技術文献】
【特許文献】
【０００４】
【特許文献１】特開平８−１６１９２１号公報
【発明の概要】
【発明が解決しようとする課題】
【０００５】
しかしながら、上述の特許文献１に示した照明器具では、グローブ内に雨水が浸入しにくくなっているものの、グローブが枠に取り付けられる構造であるため、構造上枠が必要であり、その分コストアップになっていた。
【０００６】
本発明は上記問題点に鑑みて為されたものであり、その目的とするところは、コストアップを抑えつつカバー内に水が浸入しにくくした照明器具を提供することにある。
【課題を解決するための手段】
【０００７】
本発明の照明器具は、前面に光源が配置されて施工面に取り付けられる底壁を有し、底壁の周縁から施工面と反対側に周側壁が立設された器具本体と、器具本体の前面を覆うように器具本体に取り付けられるカバーとを備える。カバーは、器具本体に取り付けられた状態において、周側壁よりも内側に位置する内壁部と、周側壁よりも外側に位置する外壁部とを有している。器具本体は、内壁部と外壁部との間の溝部に周側壁が挿入された状態において、外壁部に設けられた挿通孔に通されたねじがねじ込まれる取付部を周側壁に有している。内壁部は、溝部の底部に対して外壁部よりも高く形成されている。
【０００８】
この照明器具において、溝部に溜まった水をカバーの外側に抜くための水抜孔が設けられているのが好ましい。ここにカバーの外側とは、カバーと器具本体とで囲まれた空間の外側の領域をいう。
【０００９】
また、この照明器具において、水抜孔を着脱自在に閉塞するキャップを備えているのも好ましい。
【発明の効果】
【００１０】
内壁部を外壁部よりも高く形成しているので、内壁部と外壁部の間の溝部内に水が浸入した場合でも、高低差により外壁部を越えて外側に流れ出ることになり、カバー内に水が浸入するのを抑えることができる。しかも、カバーを器具本体に直接取り付ける構造であるため、別部材を介してカバーを器具本体に取り付ける場合に比べてコストアップを抑えることができる。
【図面の簡単な説明】
【００１１】
【図１】本実施形態の照明器具を示し、（ａ）は側断面図、（ｂ）は要部を拡大した断面図である。
【図２】（ａ）は前方から見た同上の分解斜視図、（ｂ）は後方から見た同上の分解斜視図である。
【図３】同上を示し、（ａ）は外観斜視図、（ｂ）は要部を拡大した別の断面図である。
【図４】（ａ）〜（ｃ）は同上の施工例である。
【発明を実施するための形態】
【００１２】
以下に、照明器具Ａの実施形態について図１〜図４を参照して説明する。この照明器具Ａは、例えば図４（ａ）に示すように玄関先の天井面（施工面）１００に取り付けられ、玄関周辺を照明するために用いられる。なお、以下の説明では特に断りがない限り、図１（ａ）中の上下方向を前後方向（図１（ａ）中の下側が前側）、図１（ａ）中の左右方向を左右方向と規定して説明を行うが、これらの方向は照明器具の取付方向を規定するものではない。
【００１３】
図２（ａ）（ｂ）は本実施形態の照明器具Ａの分解斜視図であり、この照明器具Ａは、器具本体１と、カバー２と、防水パッキン３，４と、端子台５と、ソケット台６及びソケット７と、ランプ（光源）Ｌａとを主要な構成として備える。
【００１４】
器具本体１は、例えば合成樹脂成形品であって、左右方向に長い矩形板状の底壁１１と、底壁１１の周縁から前方（天井面１００と反対側）に立設された周側壁１２とで、前面が開口する扁平な矩形箱状に形成されている。底壁１１の略中央部には、天井面１００から露出する電源線（図示せず）を通すための矩形の挿通孔１１ａが設けられ、この挿通孔１１ａの左右両側には、器具本体１を天井面１００に取り付ける際に用いられる木ねじ（図示せず）を通すための挿通孔１１ｃ，１１ｃが設けられている。また側壁１１の後面には、後方に突出する４つの突起１１ｂが四隅近傍に設けられている。なお、これらの突起１１ｂの高さ寸法は、後述する防水パッキン４の厚み寸法よりも若干小さい寸法に設定されており、器具本体１を天井面１００に固定した際に４つの突起１１ｂと防水パッキン４とが天井面１００に接することで、器具本体１のぐらつきを抑えることができる。
【００１５】
また周側壁１２の前端縁には、外側に延出し且つその先端部が後方に延出する略Ｌ字状の鍔部１３が全周に亘って設けられている。さらに、左右方向における両周側壁１２には、カバー２を取り付けるための取付部１４がそれぞれ設けられており、各取付部１４には、雌ねじが形成された板ナット９（図１（ｂ）参照）がそれぞれ収納されている。
【００１６】
カバー２は、透光性を有する樹脂材料（例えばアクリルなど）からなる成形品であって、左右方向に長い矩形板状の底壁２１と、底壁２１の周縁から後方（天井面１００側）に立設された周側壁２２とで、後面が開口する矩形箱状に形成されている。周側壁２２の後端縁には、周側壁２２と一体に後方に延出する内壁部２３が全周に亘って設けられ、さらに内壁部２３の外側には後方に延出する外壁部２４が底部２５を介して内壁部２３と一体に設けられている。そして本実施形態では、内壁部２３、外壁部２４及び底部２５からなる溝部２６が全周に亘って設けられている。また、左右方向における両外壁部２４には、カバー２を器具本体１に取り付ける際に用いられるツマミねじ８を通すための挿通孔２４ａと、溝部２６内に溜まった水（雨水など）をカバー２の外側へ抜くための水抜孔２４ｂとがそれぞれ設けられている。さらに、溝部２６内において水抜孔２４ｂに対向する部位には、図３（ｂ）に示すように後方に立設された立壁部２７が設けられており、この立壁部２７によって、台風のような横なぐりの雨や散水時の水が水抜孔２４ｂから溝部２６内に浸入するのを抑えることができる。
【００１７】
ここに内壁部２３は、図３（ｂ）に示すように、内壁部２３及び外壁部２４と直交する底部２５に対して外壁部２４よりもｈ１（例えば２ｍｍ）だけ高く形成されている。これにより、内壁部２３と外壁部２４の間の溝部２６内に溜まった水は外壁部２４を越えて外側に流れ出ていくので、内壁部２３を越えてカバー２内に水が浸入するのを抑えることができる。また、内壁部２３は外壁部２４よりも突出する高さを有しているので、溝部２６の底部２５に傾斜部を有した構成を採ったとしても、溝部２６に溜まった水を外壁部２４から溢れさせて水抜きを行うことができる。
【００１８】
防水パッキン３は、例えば左右方向に長い矩形板状のゴム板を打ち抜き加工することで枠状に形成され、カバー２の内壁部２３の後端縁に取り付けられる。そして、カバー２を器具本体１に組み付けた状態では、図１（ｂ）に示すように器具本体１の底壁１１とカバー２の内壁部２３とに密着し、カバー２内に水が浸入するのを抑えることができる。
【００１９】
防水パッキン４は、防水パッキン３と同様に矩形板状のゴム板を打ち抜き加工することで枠状に形成され、図３（ａ）に示すように挿通孔１１ａ，１１ｃが枠内に配置された状態で器具本体１に固着される。これにより、天井面１００を伝って落ちてきた水が、挿通孔１１ａ，１１ｃから器具本体１内に浸入するのを抑えることができる。
【００２０】
端子台５は、矩形箱状に形成された本体部５１を有し、本体部５１の一側面には、上記電源線の各芯線がそれぞれ挿入される一対の挿入孔５２，５２が横並びに設けられている。また、この本体部５１の内部には、各挿入孔５２に挿入された各芯線と電気的に接続される速結端子（図示せず）が収納されている。この端子台５は、例えば取付ねじ（図示せず）を用いて器具本体１の底壁１１の前面に取り付けられる。
【００２１】
ソケット台６は、ランプＬａ（例えばパナソニック製：ＥＦＤ１５ＥＮ）が着脱自在に装着されるソケット７を器具本体１に取り付けるための部材であって、例えば取付ねじ（図示せず）を用いて器具本体１の底壁１１の前面に取り付けられる。また、ソケット７と端子台５の間は電線（図示せず）により電気的に接続されており、ソケット７にランプＬａを装着することでランプＬａと上記電源線とが電気的に接続される。
【００２２】
次に、照明器具１の施工手順について説明する。なお以下の説明では、端子台５、ソケット台６、ソケット７及びランプＬａが予め器具本体１に取り付けられ、さらに端子台５とソケット７の間が電線により電気的に接続されているものとして説明する。また、防水パッキン４についても予め器具本体１の底壁１１に取り付けられているものとして説明する。
【００２３】
まず最初に作業者が、天井面１００から露出する電源線（図示せず）を器具本体１の底壁１１に設けた挿通孔１１ａに通した後、底壁１１に設けた挿通孔１１ｃに前面側から通した木ねじ（図示せず）を天井面１００にねじ込ませることで、器具本体１が天井面１００に固定される。続けて作業者が、挿通孔１１ａを通して前面側に引き出された電源線の各芯線を端子台５の対応する挿入孔５２に挿入して速結端子に接続する。さらに作業者が、カバー２の内壁部２３の後端縁に防水パッキン３を取り付けた後、開口側を後方（器具本体１側）に向けた状態でカバー２を器具本体１に組み付ける。そして作業者が、カバー２の外壁部２４に設けた挿通孔２４ａにツマミねじ８を通した後、器具本体１の板ナット９の雌ねじにツマミねじ８をねじ込むことで、カバー２が器具本体１に取り付けられ、照明器具Ａの施工が完了する。なお、カバー２を器具本体１に組み付けた状態では、図１（ｂ）に示すように、カバー２の内壁部２３と外壁部２４の間の溝部２６に器具本体１の周側壁１２が挿入された状態になる。
【００２４】
ところで、本実施形態の照明器具Ａでは、カバー２の外壁部２４に設けた水抜孔２４ｂを着脱自在に閉塞するキャップ１０が設けられているが、図４（ａ）に示すように照明器具Ａを天井面１００に取り付けた場合には、溝部２６内に溜まった水を水抜孔２４ｂを介して外側に抜くことができるので、水抜孔２４ｂを開けておくのが好ましい。また、図４（ｂ）に示すように照明器具Ａをその長手方向が上下方向となるように壁面１０１に取り付けた場合には、上側に位置する水抜孔２４ｂはキャップ１０で閉塞し、下側の水抜孔２４ｂは開けておくのが好ましい。さらに図４（ｃ）に示すように照明器具Ａをその長手方向が左右方向となるように壁面１０１に取り付けた場合には、意匠性を考慮して両水抜孔２４ｂ，２４ｂをキャップ１０で閉塞するのが好ましい。
【００２５】
而して本実施形態によれば、内壁部２３を外壁部２４よりも高く形成しているので、内壁部２３と外壁部２４の間の溝部２６内に水が浸入した場合でも、高低差により外壁部２４を越えて外側に流れ出ることになり、内壁部２３を越えてカバー２内に水が浸入するのを抑えることができる。しかも、カバー２を器具本体１に直接取り付ける構造であるため、別部材を介してカバー２を器具本体１に取り付ける場合に比べてコストアップを抑えることができる。また、水抜孔２４ｂを設けることによって溝部２６内に溜まった水を外側に抜くことができ、さらに水抜孔２４ｂを使用しない場合には、キャップ１０により水抜孔２４ｂを閉塞することで意匠性の低下を抑えることができる。
【００２６】
なお本実施形態では、図４（ａ）に示すように照明器具Ａを天井面１００に取り付けた場合を例に説明したが、施工面は天井面１００に限定されるものではなく、例えば図４（ｂ）及び図４（ｃ）に示すように壁面１０１であってもよい。また本実施形態では、外壁部２４に水抜孔２４ｂを設けているが、例えば底部２５に水抜孔を設けてもよく、本実施形態に限定されない。
【符号の説明】
【００２７】
１  器具本体
２  カバー
１１  底壁
１２  周側壁
２３  内壁部
２４  外壁部
２６  溝部
Ａ  照明器具
Ｌａ  ランプ（光源）
【図１】
0005914794.tif 000002
【図２】
0005914794.tif 000003
【図３】
0005914794.tif 000004
【図４】
0005914794.tif 000005